(57)【要約】【課題】排水筒の吐出口から流入した風により、排水が逆流するのを抑制するキャッチパン、これを備える外壁の防水構造、およびキャッチパンが備える排水筒を提供する。【解決手段】キャッチパン２は、外壁の縦目地を流下する水を受ける水受け部２１と、水受け部２１に受けられた水を排出する排水筒３とを備える。排水筒３は、水を吐出する吐出口３５と、水受け部２１に受けられた水を吐出口３５に導く流通路３６と、流通路３６を開閉可能な移動体３７と、流通路３６を開放した状態で移動体３７を支持する支持部３８とを有する。支持部３８により支持された移動体３７は、吐出口３５から流入する風により移動することで、流通路３６を閉塞するように構成されている。【選択図】図５
2018017012.tif 000002
【特許請求の範囲】
【請求項１】
外壁の縦目地を流下する水を受ける水受け部と、
前記水受け部に受けられた水を排出する排水筒と
を備え、
前記排水筒は、
水を吐出する吐出口と、
前記排水筒の内部に設けられ、前記水受け部に受けられた水を前記吐出口に導く流通路と、
前記流通路内に設けられ、前記流通路を開閉可能な移動体と、
前記流通路を開放した状態で前記移動体を支持する支持部と
を有し、
前記支持部により支持された前記移動体が、前記吐出口から流入する風により移動することで、前記流通路を閉塞するように構成されている
ことを特徴とするキャッチパン。
【請求項２】
前記移動体は、球体により構成されている
ことを特徴とする請求項１記載のキャッチパン。
【請求項３】
前記排水筒は、前記水受け部に対して着脱可能に構成されている
ことを特徴とする請求項１または請求項２に記載のキャッチパン。
【請求項４】
前記水受け部の内部の底面が、前記排水筒側に向かって下り傾斜している
ことを特徴とする請求項１〜３のいずれか一項に記載のキャッチパン。
【請求項５】
縦目地を介して左右方向に並んだ一対の外壁パネルと、
前記縦目地の下部に配置された請求項１〜４のいずれか一項に記載のキャッチパンと
を備え、
前記キャッチパンの前記排水筒は、前記外壁パネルの外壁面よりも屋外側に突出している
ことを特徴とする外壁の防水構造。
【請求項６】
前記外壁パネルは、サンドイッチパネルにより構成されている
ことを特徴とする請求項５記載の外壁の防水構造。
【請求項７】
請求項３記載のキャッチパンが備える排水筒であって、
前記水受け部の被取付部に対し取り付け可能な取付部を備えている
ことを特徴とする排水筒。
【発明の詳細な説明】
【技術分野】
【０００１】
本発明は、キャッチパン、これを備えた外壁の防水構造、およびこのキャッチパンが備える排水筒に関する。
【背景技術】
【０００２】
特許文献１には、従来の外壁の防水構造が開示されている。この特許文献１記載の外壁目地部の防水構造は、左右方向に隣り合う一対の外壁パネルと、一対の外壁パネルの間に形成された縦目地部と、縦目地部の下部に配置された水受け材とを備えている。また、この外壁目地部の防水構造は、水受け材に受けられた水が縦目地内に滞留しないように、通水パイプが設けられており、この通水パイプを介して水受け材上の水を屋外側に排出することができる。
【先行技術文献】
【特許文献】
【０００３】
【特許文献１】特開２００７−５６４５６号公報
【発明の概要】
【発明が解決しようとする課題】
【０００４】
ところで、この従来の外壁目地部の防水構造は、水受け材上の水を排出するために、通水パイプとして通常の配管が設けられているに過ぎない。このため、従来の外壁目地部の防水構造では、例えば、壁面に沿って吹き上げる風が通水パイプ内に流入すると、通水パイプ内の水が逆流して水受け材上に戻り、水受け材上の水が室内側にオーバーフローしてしまうことがあった。
【０００５】
本発明は、上記事情に鑑みてなされたものであり、その目的とするところは、排水筒の吐出口から流入した風により、排水が逆流するのを抑制するキャッチパン、これを備える外壁の防水構造、およびキャッチパンが備える排水筒を提供することにある。
【課題を解決するための手段】
【０００６】
本発明のキャッチパンは、外壁の縦目地を流下する水を受ける水受け部と、前記水受け部に受けられた水を排出する排水筒とを備え、前記排水筒は、水を吐出する吐出口と、前記排水筒の内部に設けられ、前記水受け部に受けられた水を前記吐出口に導く流通路と、前記流通路内に設けられ、前記流通路を開閉可能な移動体と、前記流通路を開放した状態で前記移動体を支持する支持部とを有し、前記支持部により支持された前記移動体が、前記吐出口から流入する風により移動することで、前記流通路を閉塞するように構成されていることを特徴とする。
【０００７】
また、本発明の外壁の防水構造は、縦目地を介して左右方向に並んだ一対の外壁パネルと、前記縦目地の下部に配置された上記キャッチパンとを備え、前記キャッチパンの前記排水筒は、前記外壁パネルの外壁面よりも屋外側に突出していることを特徴とする。
【０００８】
また、本発明の排水筒は、上記キャッチパンが備える排水筒であって、前記水受け部の被取付部に対し取り付け可能な取付部を備えていることを特徴とする。
【発明の効果】
【０００９】
本発明のキャッチパン、これを備えた外壁の防水構造、およびキャッチパンが備える排水筒によれば、排水筒の吐出口から流入した風により、排水が逆流するのを抑制することができる。
【図面の簡単な説明】
【００１０】
【図１】本発明の一実施形態の外壁の防水構造を適用した建物の正面図である。
【図２】図２Ａは、図２ＢのＢ−Ｂ線断面図である。図２Ｂは、図１のＡ部の拡大図である。
【図３】同上のキャッチパンの分解斜視図である。
【図４】同上のキャッチパンの側断面図である。
【図５】図５Ａは、同上のキャッチパンにおいて、水を排出する状態を示す要部断面図である。図５Ｂは、同上のキャッチパンにおいて、吐出口から風が流入した状態を示す要部断面図である。
【図６】図６Ａは、同上のキャッチパンを外壁パネルの縦目地の下部に取り付けた状態の断面斜視図である。図６Ｂは、図６Ａを外壁パネルの長さ方向に沿って見た図である。
【図７】本発明の一実施形態のキャッチパンを、梁貫通部に適用した他の使用例を示す斜視図である。
【図８】本発明の一実施形態のキャッチパンを、腰壁部に適用したさらに他の使用例を示す斜視図である。
【発明を実施するための形態】
【００１１】
以下、本発明の実施形態について添付図面に基づいて説明する。
【００１２】
本実施形態の外壁の防水構造は、図１に示すように、目地（縦目地１７・横目地１８）を介して鉛直面に沿って並べられた複数の外壁パネル１と、各縦目地１７と窓枠５との交差部分に配置された複数のキャッチパン２とを備えている。各外壁パネル１は、横張り用の外壁パネル１であり、サンドイッチパネル１０により構成されている。
【００１３】
サンドイッチパネル１０は、横方向に長さを有し、かつ上下方向に幅を有している。サンドイッチパネル１０は、表面板１１と裏面板１４との間に、芯材１５としての断熱材が充填されて構成されている（図２Ａ参照）。
【００１４】
表面板１１および裏面板１４は、金属板により構成されており、例えば、厚み０．３５〜０．８ｍｍ程度の金属板を、プレス加工等の曲げ加工を施すことにより形成される。この表面板１１および裏面板１４は、亜鉛めっき鋼板や塗装鋼板、エスジーエル（登録商標）鋼板、ガルバリウム鋼板（登録商標）、ステンレス鋼板等により構成される。
【００１５】
芯材１５は、例えば、断熱材として、ロックウールやグラスウールなどの無機質繊維断熱材や、ウレタンフォーム・スチレンフォーム・フェノールフォーム・ポリイソシアヌレートフォーム等の合成樹脂発泡体や、ペンタンからなる発泡剤により構成されたフロン不使用の発泡断熱材などが挙げられる。また、芯材１５は、石膏ボード・ケイ酸カルシウム板・水酸化アルミニウム板等の無機質板などの耐火材が用いられてもよい。芯材１５としては、これら複数種類を組み合わせて形成してもよいし、どれか一つだけを用いてもよい。
【００１６】
サンドイッチパネル１０は、幅方向のうち下方側の端部に嵌合凹部１００が形成され、上方側の端部に嵌合凸部が形成されている。上下方向に隣り合う一対のサンドイッチパネル１０は、嵌合凸部と嵌合凹部とが凹凸嵌合することで連結されている。
【００１７】
サンドイッチパネル１０の長さ方向の端部は、図２Ａに示すように、表面板１１の端部が屋内側に折り曲げられた側端部１２と、サンドイッチパネル１０の屋外側の面（外壁面１９）に平行となるように側端部１２の屋内側の端部から延出した接続部１３とを備えている。左右方向に隣り合う一対のサンドイッチパネル１０は、側端部１２同士を対向させ、接続部１３同士を互いに重ねるか、あるいは同一平面上に並べて配置される。縦目地１７は、一対の側端部１２と２つの接続部１３とで囲まれた部分にシーリング材１６が充填されて構成されている。図１に示すように、縦目地１７の下部でかつ窓枠５の上方には、キャッチパン２が配置されている。
【００１８】
図２Ｂには、図１のＡ部分の拡大図を示す。キャッチパン２は、縦目地１７の下部に配置されることで、縦目地１７（詳しくは、側端部１２または接続部１３）を流下する水を受け、この水を屋外側に排出する。キャッチパン２は、図３に示すように、水受け部２１と、排水筒３とを備えている。
【００１９】
水受け部２１は、外壁の縦目地１７を流下する水（雨水）を受ける部分である。水受け部２１は、上方に開口部を有する有底箱状に形成された水受け本体２２と、取り付け片２９とを備えており、これらは合成樹脂により一体成型されている。
【００２０】
水受け本体２２は、底板２３，一対の側壁２４，前壁２５，および後壁２６により形成されている。一対の側壁２４，前壁２５，および後壁２６は、底板２３の外周端部から上方に延出している。取り付け片２９は、後壁２６の上端から上方に延出しており、例えば、胴縁や柱に固着具を介して固定される。なお、本実施形態の水受け本体２２は、後壁２６と取り付け片２９とが一体に成型されている。
【００２１】
底板２３の上面（水受け部２１の内部の底面）は、図４に示すように、排水筒３側（前側）に向かって下り傾斜している。本実施形態の底板２３の上面の傾斜は、前後方向の一方向に沿った傾斜であるが、例えば、正面視において左右方向に傾斜してもよいし、正面視において排水筒３を下端部とする半椀状の傾斜であってもよい。
【００２２】
水受け本体２２の前壁２５には、排水筒３が取り付けられる被取付部２７が設けられている。被取付部２７は、前壁２５から前方に突出した筒状に形成されている。被取付部２７の内部は、底板２３，一対の側壁２４，前壁２５，および後壁２６で囲まれた空間内に連通しており、特に、被取付部２７の内周面の下端は、底板２３の上面と略同じ高さに位置している。被取付部２７の外周面には、図３に示すように、排水筒３を保持する一対の係止穴２８が設けられている。
【００２３】
排水筒３は、水受け部２１に受けられた水を水受け部２１から排出する部分である。排水筒３は、水受け部２１の被取付部２７に取り付けられている（排水筒３において被取付部２７が嵌まり込む部分を取付部３２とする）。排水筒３は、被取付部２７に対し、取り外し可能に取り付けられている。排水筒３は、横筒部３１と縦筒部３４とで、略Ｌ字状に形成されており、合成樹脂により一体成型されている。
【００２４】
横筒部３１は取付部３２を有する。取付部３２にあっては、横筒部３１の内側面において、左右方向に対向する各部に、突起３３が設けられている。一対の突起３３は、取付部３２に被取付部２７が嵌め込まれると、被取付部２７の係止穴２８に引っ掛かり、これにより、排水筒３を被取付部２７に保持させる。
【００２５】
縦筒部３４は、図４に示すように、その長さ方向が鉛直方向に延びている。縦筒部３４の下端部は、下方に開口している（この開口を吐出口３５とする）。縦筒部３４は横筒部３１の内部に連通しており、この横筒部３１の内部と縦筒部３４の内部とで、流通路３６が構成されている。流通路３６は、水受け部２１に受けられた水を吐出口３５に導く。
【００２６】
縦筒部３４の内部には、移動体３７と、支持部３８とが設けられている。排水筒３は、この移動体３７および支持部３８によって、吐出口３５から流入する風や水が逆流するのを防ぐことができる。すなわち、移動体３７および支持部３８は、排水筒３において逆止弁を構成する。
【００２７】
排水筒３は、横筒部３１と縦筒部３４との間を仕切る仕切り壁３９を有する。仕切り壁３９には、横筒部３１と縦筒部３４とを連通する貫通孔４０が設けられている。
【００２８】
移動体３７は、縦筒部３４の内部に配置されており、すなわち、流通路３６内に設けられている。移動体３７は、球体３７０により構成されており、外径が貫通孔４０の内径よりも大きい。移動体３７は、排水筒３の吐出口３５から流入した風の圧力（風圧）により移動（上昇）すると、貫通孔４０に下方から嵌まり込み、流通路３６を閉じる。移動体３７は、例えば、ナイロンにより構成されている。
【００２９】
貫通孔４０の内周面は、上方に向かうほど小径となるように傾斜している。これにより、移動体３７が上昇し、貫通孔４０に下方から嵌まり込む際に、移動体３７が貫通孔４０内の所定の位置に移動しやすくできる。また、移動体３７が上昇し、貫通孔４０に下方から嵌まり込むと、貫通孔４０の内周面と移動体３７の外面とが接触または近接対向するため、吐出口３５から流入する空気の流れを、よりしっかりと止めることができる。
【００３０】
支持部３８は、流通路３６を開放した状態の移動体３７を支持する。また、支持部３８は、縦筒部３４の内周面を掛け渡す１つのピン３８０により構成されており、流通路３６を流通する水の流れを妨げないように構成されている。
【００３１】
なお、支持部３８は、２以上のピン３８０により構成されてもよいし、板状に形成されてもよい。また、支持部３８は、縦筒部３４の内周面に掛け渡されていなくてもよく、例えば、縦筒部３４の内周面から中央に向かって突出した複数の突起３３により構成されてもよい。
【００３２】
このような構成のキャッチパン２は、図５Ａ，図５Ｂに示すように動作する。縦目地１７を流下した水を水受け部２１が受けると、水は、底面の傾斜に沿って移動し、図５Ａに示すように、横筒部３１に流入する。横筒部３１に流入した水は、貫通孔４０を介して、縦筒部３４に移動し、吐出口３５から吐出される。
【００３３】
一方、吐出口３５から風が流入すると、図５Ｂに示すように、移動体３７が風圧により移動し、移動体３７が貫通孔４０に入り込む。このとき、流通路３６が閉塞され、流入した風の逆流が抑制される。この結果、水の逆流も抑制される。
【００３４】
本実施形態の貫通孔４０の内周面は、下方に向かうほど、大径となるように傾斜している上に、貫通孔４０の内周面の下端と、縦筒部３４の内周面との間の寸法Ｌが、移動体３７の半径ｒよりも小さく形成されている。このため、移動体３７は、縦筒部３４の内周面に沿って上昇しても、貫通孔４０の内周面にガイドされて、貫通孔４０内に入り込みやすい構造となっている。
【００３５】
このような構成のキャッチパン２は、図６Ａに示すように、縦目地１７の下部で、かつ、建物の窓用の開口部５０における窓枠５の上方に配置される。キャッチパン２は、例えば、取り付け片２９において、横胴縁６にビス止めされることで、建物に固定される。なお、サンドイッチパネル１０の側端部１２および接続部１３の下端部は、キャッチパン２に干渉するため、現場施工において、あるいは、工場出荷時に切除される。
【００３６】
キャッチパン２は、サンドイッチパネル１０が設置されると、水受け本体２２がサンドイッチパネル１０の嵌合凹部１００に収容配置され、取り付け片２９が裏面板１４の後方に配置される。
【００３７】
設置された状態のキャッチパン２は、図６Ｂに示すように、排水筒３が外壁面１９よりも屋外側に突出している。排水筒３の吐出口３５は、窓枠５の上方に位置しており、吐出した水が窓枠５上に落下するように配置される。これにより、縦目地１７を伝って流下する水が、窓枠５と外壁パネル１との間のシーリング材７よりも屋内側に流下するのを防ぐことができ、防水を図ることができる。この結果、万が一、縦目地１７のシーリング材１６が経年劣化等により切れた場合に、シーリング材１６よりも屋内側に浸水しても、縦目地１７の下部において、キャッチパン２にて水を受けると共に屋外側に排出できるので、屋内側への浸水を抑制できる。
【００３８】
（効果）
以上、説明したように、本実施形態のキャッチパン２は、外壁の縦目地１７を流下する水を受ける水受け部２１と、水受け部２１に受けられた水を排出する排水筒３とを備える。排水筒３は、水を吐出する吐出口３５と、排水筒３の内部に設けられ水受け部２１に受けられた水を吐出口３５に導く流通路３６と、流通路３６内に設けられ流通路３６を開閉可能な移動体３７と、流通路３６を開放した状態で移動体３７を支持する支持部３８とを有する。支持部３８により支持された移動体３７は、吐出口３５から流入する風により移動することで、流通路３６を閉塞するように構成されている。この構成によれば、水受け部２１によって受けた水を排水筒３を介して排出することができる一方、吐出口３５から風が流入したときには、移動体３７によって流通路３６を閉塞でき、風や水の逆流を抑制することができる。この結果、水受け部２１の水が室内側にオーバーフローするのを防ぐことができる。
【００３９】
また、本実施形態のキャッチパン２は、次の付加的な構成を有する。すなわち、本実施形態のキャッチパン２において、移動体３７は球体３７０により構成されている。この構成によれば、風圧を受けて移動する移動体３７が、どの向き・姿勢であっても、流通路３６を閉塞することができ、動作を安定させることができる。
【００４０】
また、本実施形態のキャッチパン２は、次の付加的な構成を有する。すなわち、本実施形態のキャッチパン２において、排水筒３は、水受け部２１に対して着脱可能に構成されている。この構成によれば、排水筒３にごみなどが詰まってしまった場合に、容易に排水筒３を交換することができる。
【００４１】
また、本実施形態のキャッチパン２は、次の付加的な構成を有する。すなわち、本実施形態のキャッチパン２は、水受け部２１の内部の底面が、排水筒３側に向かって下り傾斜している。この構成によれば、水受け部２１に受けられた水を排水筒３に向かって効果的に流すことができる。
【００４２】
また、本実施形態の外壁の防水構造は、縦目地１７を介して左右方向に並んだ一対の外壁パネル１と、縦目地１７の下部に配置された上記キャッチパン２とを備える。キャッチパン２の排水筒３は、外壁パネル１の外壁面１９よりも屋外側に突出している。この構成によれば、外壁パネル１の縦目地１７を伝って流下する水を効果的に屋外側に排出することができる。
【００４３】
なお、ここで言う「縦目地１７の下部」とは、正面視において縦目地１７と重なる位置だけでなく、正面視において縦目地１７のすぐ下の位置も含むものとする。したがって、キャッチパン２は、本実施形態のように、正面視において縦目地の下端部に重なる位置に配置されてもよいし、縦目地の下端部のすぐ下方に配置されてもよい。
【００４４】
また、本実施形態の排水筒３は、キャッチパン２が備える排水筒３である。排水筒３は、水受け部２１の被取付部２７に対し取り付け可能な取付部３２を備えている。この構成によれば、水受け部２１の被取付部２７に取り付けられることで、水受け部２１によって水を受けた水を排水筒３を介して排出することができる一方、吐出口３５から風が流入したときには、移動体３７によって流通路３６を閉塞でき、風や水の逆流を抑制することができる。
【００４５】
（応用）
上記実施形態のキャッチパン２は、窓枠５の上方に配置されたが、配置場所は特に限定されない。キャッチパン２の設置部位は、外壁パネル１の縦目地１７と他の部材とが交差する部位が好ましい。好ましい例として、例えば、図７に示すように、桁８１と、桁８１に貫通する梁８２との交差部分が挙げられる。
【００４６】
図７に示す外壁の防水構造は、柱８０と、桁８１と、桁８１を屋内外方向に貫通する梁８２とを備えている。なお、梁８２の屋外側に突出した部分は、例えば、庇を支持する支持材として使用されたり、あるいは階段を支持する支持材として使用される。
【００４７】
柱８０の屋外側の面には、捨て板８３が取り付けられている。捨て板８３の屋外側には、サンドイッチパネル１０が設置され、これにより、捨て板８３は、縦目地１７の屋内側に配置される。
【００４８】
キャッチパン２は、水受け部２１が捨て板８３の下方に配置されており、捨て板８３を伝って流下する雨水を水受け部２１で受けることができる。また、上記実施形態と同様に、水受け部２１は、縦目地１７を流下する雨水を受けることもできる。
【００４９】
キャッチパン２の排水筒３は、梁８２の上方に排水可能に配置されている。これにより、水受け部２１により受けられた雨水は、排水筒３を介して、外壁面１９よりも屋外側に突出した梁８２上に排出される。
【００５０】
なお、図７中の符号８４は、発泡ポリウレタン製の止水テープであり、サンドイッチパネル１０の梁８２側の外縁から雨水が回り込んでも、梁８２の下方の捨て板８３に導水できるように構成されている。
【００５１】
また、キャッチパン２は、図８に示すように、腰壁９０とサンドイッチパネル１０との間に配置されてもよい。キャッチパン２は、サンドイッチパネル１０の下端部に配置され、上記実施形態と同様に、縦目地１７の下部に配置される。
【００５２】
腰壁９０の上端面には水切り材９３が設置されている。この水切り材９３と、キャッチパン２の水受け部２１の下面との間には、バックアップ材９１と、シーリング材９２とが配置される。排水筒３は、シーリング材９２よりも屋外側に排水可能に配置される。なお、図７の使用例において、特に図示していないが、梁８２とキャッチパン２との間にも、同様に、バックアップ材９１とシーリング材９２とが配置される。
【００５３】
このように、上記実施形態のキャッチパン２は、外壁パネル１の縦目地１７と他の部材とが交差する部位に取り付けられるが、それ以外にも、下り壁と縦目地１７とが交差する部位などが例示できる。
【００５４】
上記実施形態の移動体３７は球状に形成されていたが、移動体３７は、球状に形成されていなくてもよく、形状は限定されない。また、移動体３７は、風圧により移動可能な材質であればよく、ナイロンに限定されない。
【００５５】
水受け部２１および排水筒３はいずれも合成樹脂により構成されたが、材質は特に限定されない。例えば、いずれもステンレスなどの金属製であってもよいし、いずれか一方が金属製で、他方が樹脂製であってもよい。
【００５６】
上記実施形態の水受け部２１は有底箱状に形成されていたが、例えば、椀状であってもよく、形状は特に限定されない。
【００５７】
上記実施形態の排水筒３は、Ｌ字状に形成されていたが、傾斜した直線状に形成されてもよく、形状は特に限定されない。
【００５８】
上記実施形態は、複数の横張り用のサンドイッチパネル１０により形成された外壁に、キャッチパン２を設置した態様であったが、例えば、複数の縦張り用のサンドイッチパネル１０により形成された外壁に、キャッチパン２を設置してもよい。この場合、キャッチパン２とサンドイッチパネル１０とが干渉する場合には、サンドイッチパネル１０の干渉する部分を切除すればよい。
【００５９】
上記実施形態の外壁パネル１は、サンドイッチパネル１０を一例として説明したが、外壁パネル１として、ＡＬＣ，押出し中空セメント板，あるいは、金属サイディング材等が用いられてもよく、特に限定されない。
【００６０】
その他、上記実施形態の構成は、本発明の主旨を逸脱しない範囲であれば、適宜設計変更を行うことができる。
【符号の説明】
【００６１】
１      外壁パネル
１０    サンドイッチパネル
１７    縦目地
１９    外壁面
２      キャッチパン
２１    水受け部
２７    被取付部
３      排水筒
３２    取付部
３５    吐出口
３６    流通路
３７    移動体
３７０  球体
３８    支持部
【図１】
2018017012.tif 000003
【図２】
2018017012.tif 000004
【図３】
2018017012.tif 000005
【図４】
2018017012.tif 000006
【図５】
2018017012.tif 000007
【図６】
2018017012.tif 000008
【図７】
2018017012.tif 000009
【図８】
2018017012.tif 000010